【手続補正書】
【提出日】平成19年12月26日(2007.12.26)
【手続補正１】
【補正対象書類名】特許請求の範囲
【補正対象項目名】全文
【補正方法】変更
【補正の内容】
【特許請求の範囲】
【請求項１】
ある所定の機能を提供する装置及びその所定の機能を提供する為の管理サーバを含むシステムと、その他の所定の機能を提供する装置及びその他の所定の機能を提供する為の管理サーバを含むシステムとが、少なくとも１台以上の交換機を経由して認証連携サーバとコンピュータ・ネットワークで接続されており、各システムの装置は同時に使用される性質のものであるネットワークシステムにおける認証連携システムであって、
認証連携サーバは、
認証連携の事前準備として交換機からの接続状態変更通知を契機として、交換機及び各システムの管理サーバから各装置の接続情報等を要求し、収集する手段と、
収集した情報を基に対応するある所定の機能を提供する装置の物理接続情報とその他の所定の機能を提供する装置の物理接続情報を該連携サーバの記憶域に対応付けて記憶する手段と、
ある所定の機能を提供するシステムにおけるユーザ識別情報とその他の所定の機能を提供するシステムにおけるユーザ識別情報を該連携サーバの記憶域に対応付けて記憶する手段と、
ユーザがある所定の機能を提供する装置に認証デバイスを利用してログイン／ログオフ後、ある所定の機能を提供する為の管理サーバからログイン／ログオフした装置の物理接続情報とログイン／ログオフしたユーザのユーザ識別情報を受信する手段と、
受信した物理接続情報を基に、ある所定の機能を提供する装置に対応する、その他の所定の機能を提供する装置を該認証連携サーバの記憶域を参照して決定する手段と、
受信したユーザ識別情報を基に、ある所定の機能を提供するシステムにおけるユーザ識別情報に対応するその他の所定の機能を提供するシステムにおけるユーザ識別情報を該認証連携サーバの記憶域を参照して決定する手段と、
決定したその他の所定の機能を提供する装置に関する物理接続情報及び上記ユーザ識別情報をその他の所定の機能を提供するシステムの管理サーバに送信する手段とを備え、
その他の所定の機能を提供するシステムの管理サーバは、
上記の物理接続情報及びユーザ識別情報を受信する手段と、
受信した物理接続情報を有する装置に受信したユーザ識別情報に対応するログイン設定ファイル／ログオフ設定ファイルを送信する手段とを備え、
その他の所定の機能を提供する装置は、
上記管理サーバから送信されたユーザ識別情報に対応するログイン設定ファイル／ログオフ設定ファイルを受信し、読み込む手段を備えることにより、
ある所定の機能を提供する装置と一対となるその他の所定の機能を提供する装置に対して同時に認証手続を行うことを特徴とする認証連携システム。
【請求項２】
認証連携サーバは、その他の所定の機能を提供するシステムの管理サーバから、その他の所定の機能を提供する装置のログイン／ログオフが正常に終了した信号を受信することにより、その他の所定の機能を提供する装置に対して認証手続成功可否画面を送信する手段を備えることを特徴とする請求項１記載の認証連携システム。
【請求項３】
認証連携サーバから収集される交換機の有している接続情報には、該交換機の有しているインタフェース情報が含まれており、認証連携サーバは該インタフェース情報が同一であることをもって、ある所定の機能を提供する装置とその他の所定の機能を提供する装置を、対応する装置であると判断する手段を備えることを特徴とする請求項１または２記載の認証連携システム
【請求項４】
１台以上のシンクライアント端末及びシンクライアント端末管理サーバを含むシンクライアント端末管理システムと、１台以上のIP電話機及びIP電話機管理サーバを含むIP電話システムとが、少なくとも１台以上の交換機を経由して認証連携サーバとコンピュータ・ネットワークで接続されており、各システムの装置は同時に使用される性質のものであるネットワークシステムにおける認証連携システムであって、
認証連携サーバは、
認証連携の事前準備として交換機からの接続状態変更通知を契機として、交換機及び各システムの管理サーバから各装置の接続情報等を要求し、収集する手段と、
収集した情報を基に対応するシンクライアント端末の物理接続情報とIP電話機の物理接続情報を該連携サーバの記憶域に対応付けて記憶する手段と、
シンクライアント端末管理システムにおけるユーザ識別情報とIP電話システムのユーザ識別情報を該連携サーバの記憶域に対応付けて記憶する手段と、
ユーザがある所定の機能を提供する装置に認証デバイスを利用してログイン／ログオフ後、シンクライアント端末の管理サーバからログイン／ログオフした装置の物理接続情報とログイン／ログオフしたユーザのユーザ識別情報を受信する手段と、
受信した物理接続情報を基に、シンクライアント端末に対応する、IP電話機を該認証連携サーバの記憶域を参照して決定する手段と、
受信したユーザ識別情報を基に、シンクライアント端末管理システムにおけるユーザ識別情報に対応するIP電話システムにおけるユーザ識別情報を該認証連携サーバの記憶域を参照して決定する手段と、
決定したIP電話機に関する物理接続情報及び上記ユーザ識別情報をIP電話機管理サーバに送信する手段とを備え、
IP電話機管理サーバは、
上記の物理接続情報及びユーザ識別情報を受信する手段と、
受信した物理接続情報を有するIP電話機に受信したユーザ識別情報に対応するログイン設定ファイル／ログオフ設定ファイルを送信する手段とを備え、
IP電話機は、
上記IP電話機管理サーバから送信されたユーザ識別情報に対応するログイン設定ファイル／ログオフ設定ファイルを受信し、読み込む手段を備えることにより、
シンクライアント端末と一対となるIP電話機に対して同時に認証手続を行うことを特徴とする認証連携システム。
【請求項５】
認証連携サーバは、IP電話機管理サーバから、IP電話機のログイン／ログオフが正常に終了した信号を受信することにより、IP電話機に対して認証手続成功可否画面を送信する手段を備えることを特徴とする請求項４記載の認証連携システム。
【請求項６】
認証連携サーバから収集される交換機の有している接続情報には、該交換機の有しているインタフェース情報が含まれており、認証連携サーバは該インタフェース情報が同一であることをもって、シンクライアント端末とIP電話機を対応する装置であると判断する手段を備えることを特徴とする請求項４または５記載の認証連携システム。
【請求項７】
ある所定の機能を提供する装置及びその所定の機能を提供する為の管理サーバを含むシステムと、その他の所定の機能を提供する装置及びその他の所定の機能を提供する為の管理サーバを含むシステムとが、少なくとも１台以上の交換機を経由して認証連携サーバとコンピュータ・ネットワークで接続されており、各システムの装置は同時に使用される性質のものであるネットワークシステムにおける認証連携方法であって、
認証連携サーバは、
認証連携の事前準備として交換機からの接続状態変更通知を契機として、交換機及び各システムの管理サーバから各装置の接続情報等を要求し、収集するステップと、
収集した情報を基に対応するある所定の機能を提供する装置の物理接続情報とその他の所定の機能を提供する装置の物理接続情報を該連携サーバの記憶域に対応付けて記憶するステップと、
ある所定の機能を提供するシステムにおけるユーザ識別情報とその他の所定の機能を提供するシステムにおけるユーザ識別情報を該連携サーバの記憶域に対応付けて記憶するステップと、
ユーザがある所定の機能を提供する装置に認証デバイスを利用してログイン／ログオフ後、ある所定の機能を提供する為の管理サーバからログイン／ログオフした装置の物理接続情報とログイン／ログオフしたユーザのユーザ識別情報を受信するステップと、
受信した物理接続情報を基に、ある所定の機能を提供する装置に対応する、その他の所定の機能を提供する装置を該認証連携サーバの記憶域を参照して決定するステップと、
受信したユーザ識別情報を基に、ある所定の機能を提供するシステムにおけるユーザ識別情報に対応するその他の所定の機能を提供するシステムにおけるユーザ識別情報を該認証連携サーバの記憶域を参照して決定するステップと、
決定したその他の所定の機能を提供する装置に関する物理接続情報及び上記ユーザ識別情報をその他の所定の機能を提供するシステムの管理サーバに送信するステップとを実行し、
その他の所定の機能を提供するシステムの管理サーバは、
上記の物理接続情報及びユーザ識別情報を受信するステップと、
受信した物理接続情報を有する装置に受信したユーザ識別情報に対応するログイン設定ファイル／ログオフ設定ファイルを送信するステップとを実行し、
その他の所定の機能を提供する装置は、
上記管理サーバから送信されたユーザ識別情報に対応するログイン設定ファイル／ログオフ設定ファイルを受信し、読み込むステップを実行することにより、
ある所定の機能を提供する装置と一対になるその他の所定の機能を提供する装置に対して同時に認証手続を行うことを特徴とする認証連携方法。
【請求項８】
認証連携サーバは、その他の所定の機能を提供するシステムの管理サーバから、その他の所定の機能を提供する装置のログイン／ログオフが正常に終了した信号を受信することにより、その他の所定の機能を提供する装置に対して認証手続成功可否画面を送信するステップを実行することを特徴とする請求項７記載の認証連携方法。
【請求項９】
認証連携サーバから収集される交換機の有している接続情報には、該交換機の有しているインタフェース情報が含まれており、認証連携サーバは該インタフェース情報が同一であることをもって、ある所定の機能を提供する装置とその他の所定の機能を提供する装置を、対応する装置であると判断するステップを実行することを特徴とする請求項７または８記載の認証連携方法。
【請求項１０】
１台以上のシンクライアント端末及びシンクライアント端末管理サーバを含むシンクライアント端末管理システムと、１台以上のIP電話機及びIP電話機管理サーバを含むIP電話システムとが、少なくとも１台以上の交換機を経由して認証連携サーバとコンピュータ・ネットワークで接続されており、各システムの装置は同時に使用される性質のものであるネットワークシステムにおける認証連携方法であって、
認証連携サーバは、
認証連携の事前準備として交換機からの接続状態変更通知を契機として、交換機及び各システムの管理サーバから各装置の接続情報等を要求し、収集するステップと、
収集した情報を基に対応するシンクライアント端末の物理接続情報とIP電話機の物理接続情報を該連携サーバの記憶域に対応付けて記憶するステップと、
シンクライアント端末管理システムにおけるユーザ識別情報とIP電話システムにおけるユーザ識別情報を該連携サーバの記憶域に対応付けて記憶するステップと、
ユーザがある所定の機能を提供する装置に認証デバイスを利用してログイン／ログオフ後、シンクライアント端末の管理サーバからログイン／ログオフした装置の物理接続情報とログイン／ログオフしたユーザのユーザ識別情報を受信するステップと、
受信した物理接続情報を基に、シンクライアント端末に対応する、IP電話機を該認証連携サーバの記憶域を参照して決定するステップと、
受信したユーザ識別情報を基に、シンクライアント端末管理システムにおけるユーザ識別情報に対応するIP電話システムにおけるユーザ識別情報を該認証連携サーバの記憶域を参照して決定するステップと、
決定したIP電話機に関する物理接続情報及び上記ユーザ識別情報をIP電話機管理サーバに送信するステップとを実行し、
IP電話機管理サーバは、
上記の物理接続情報及びユーザ識別情報を受信するステップと、
受信した物理接続情報を有するIP電話機に受信したユーザ識別情報に対応するログイン設定ファイル／ログオフ設定ファイルを送信するステップとを実行し、
IP電話機は、
上記IP電話機管理サーバから送信されたユーザ識別情報に対応するログイン設定ファイル／ログオフ設定ファイルを受信し、読み込むステップを実行することにより、
シンクライアント端末と一対になるIP電話機に対して同時に認証手続を行うことを特徴とする認証連携方法。
【請求項１１】
認証連携サーバは、IP電話機管理サーバから、IP電話機のログイン／ログオフが正常に終了した信号を受信することにより、IP電話機に対して認証手続成功可否画面を送信するステップを実行することを特徴とする請求項１０記載の認証連携システム。
【請求項１２】
認証連携サーバから収集される交換機の有している接続情報には、該交換機の有しているインタフェース情報が含まれており、認証連携サーバは該インタフェース情報が同一であることをもって、シンクライアント端末とIP電話機を対応する装置であると判断するステップを実行することを特徴とする請求項１０または１１記載の認証連携システム。
【請求項１３】
ある所定の機能を提供する装置及びその所定の機能を提供する為の管理サーバを含むシステムと、その他の所定の機能を提供する装置及びその他の所定の機能を提供する為の管理サーバを含むシステムとが、少なくとも１台以上の交換機を経由して認証連携サーバとコンピュータ・ネットワークで接続されており、各システムの装置は同時に使用される性質のものであるネットワークシステムにおける認証連携方法を実行するプログラムであって、
認証連携サーバに、
認証連携の事前準備として交換機からの接続状態変更通知を契機として、交換機及び各システムの管理サーバから各装置の接続情報等を要求し、収集するステップと、
収集した情報を基に対応するある所定の機能を提供する装置の物理接続情報とその他の所定の機能を提供する装置の物理接続情報を該連携サーバの記憶域に対応付けて記憶するステップと、
ある所定の機能を提供するシステムにおけるユーザ識別情報とその他の所定の機能を提供するシステムにおけるユーザ識別情報を該連携サーバの記憶域に対応付けて記憶するステップと、
ユーザがある所定の機能を提供する装置に認証デバイスを利用してログイン／ログオフ後、ある所定の機能を提供する為の管理サーバからログイン／ログオフした装置の物理接続情報とログイン／ログオフしたユーザのユーザ識別情報を受信するステップと、
受信した物理接続情報を基に、ある所定の機能を提供する装置に対応する、その他の所定の機能を提供する装置を該認証連携サーバの記憶域を参照して決定するステップと、
受信したユーザ識別情報を基に、ある所定の機能を提供するシステムにおけるユーザ識別情報に対応するその他の所定の機能を提供するシステムにおけるユーザ識別情報を該認証連携サーバの記憶域を参照して決定するステップと、
決定したその他の所定の機能を提供する装置に関する物理接続情報及び上記ユーザ識別情報をその他の所定の機能を提供するシステムの管理サーバに送信するステップとを実行させ、
その他の所定の機能を提供するシステムの管理サーバに、
上記の物理接続情報及びユーザ識別情報を受信するステップと、
受信した物理接続情報を有する装置に受信したユーザ識別情報に対応するログイン設定ファイル／ログオフ設定ファイルを送信するステップとを実行させ、
その他の所定の機能を提供する装置に、
上記管理サーバから送信されたユーザ識別情報に対応するログイン設定ファイル／ログオフ設定ファイルを受信し、読み込むステップを実行させることにより、
ある所定の機能を提供する装置と一対になるその他の所定の機能を提供する装置に対して同時に認証手続を行うことを特徴とする認証連携プログラム。
【請求項１４】
認証連携サーバに、その他の所定の機能を提供するシステムの管理サーバから、その他の所定の機能を提供する装置のログイン／ログオフが正常に終了した信号を受信することにより、その他の所定の機能を提供する装置に対して認証手続成功可否画面を送信するステップを実行させることを特徴とする請求項１３記載の認証連携プログラム。
【請求項１５】
認証連携サーバから収集される交換機の有している接続情報には、該交換機の有しているインタフェース情報が含まれており、認証連携サーバに、該インタフェース情報が同一であることをもって、ある所定の機能を提供する装置とその他の所定の機能を提供する装置を、対応する装置であると判断するステップを実行させることを特徴とする請求項１３または１４記載の認証連携プログラム。
【請求項１６】
１台以上のシンクライアント端末及びシンクライアント端末管理サーバを含むシンクライアント端末管理システムと、１台以上のIP電話機及びIP電話機管理サーバを含むIP電話システムとが、少なくとも１台以上の交換機を経由して認証連携サーバとコンピュータ・ネットワークで接続されており、各システムの装置は同時に使用される性質のものであるネットワークシステムにおける認証連携プログラムであって、
認証連携サーバに、
認証連携の事前準備として交換機からの接続状態変更通知を契機として、交換機及び各システムの管理サーバから各装置の接続情報等を要求し、収集するステップと、
収集した情報を基に対応するシンクライアント端末の物理接続情報とIP電話機の物理接続情報を該連携サーバの記憶域に対応付けて記憶するステップと、
シンクライアント端末管理システムにおけるユーザ識別情報とIP電話システムにおけるユーザ識別情報を該連携サーバの記憶域に対応付けて記憶するステップと、
ユーザがある所定の機能を提供する装置に認証デバイスを利用してログイン／ログオフ後、シンクライアント端末の管理サーバからログイン／ログオフした装置の物理接続情報とログイン／ログオフしたユーザのユーザ識別情報を受信するステップと、
受信した物理接続情報を基に、シンクライアント端末に対応する、IP電話機を該認証連携サーバの記憶域を参照して決定するステップと、
受信したユーザ識別情報を基に、シンクライアント端末管理システムにおけるユーザ識別情報に対応するIP電話システムにおけるユーザ識別情報を該認証連携サーバの記憶域を参照して決定するステップと、
決定したIP電話機に関する物理接続情報及びユーザ識別情報をIP電話機管理サーバに送信するステップと、を実行させ、
IP電話機管理サーバに、
上記の物理接続情報及びユーザ識別情報を受信するステップと、
受信した物理接続情報を有するIP電話機に受信したユーザ識別情報に対応するログイン設定ファイル／ログオフ設定ファイルを送信するステップとを実行させ、
IP電話機に、
上記IP電話機管理サーバから送信されたユーザ識別情報に対応するログイン設定ファイル／ログオフ設定ファイルを受信し、読み込むステップを実行させることにより、
シンクライアント端末と一対になるIP電話機に対して同時に認証手続を行うことを特徴とする認証連携プログラム。
【請求項１７】
認証連携サーバに、IP電話機管理サーバから、IP電話機のログイン／ログオフが正常に終了した信号を受信することにより、IP電話機に対して認証手続成功可否画面を送信するステップを実行させることを特徴とする請求項１６記載の認証連携プログラム。
【請求項１８】
認証連携サーバから収集される交換機の有している接続情報には、該交換機の有しているインタフェース情報が含まれており、認証連携サーバに、該インタフェース情報が同一であることをもって、シンクライアント端末とIP電話機を対応する装置であると判断するステップを実行させることを特徴とする請求項１６または１７記載の認証連携プログラム。
【手続補正２】
【補正対象書類名】明細書
【補正対象項目名】００１６
【補正方法】変更
【補正の内容】
【００１６】
すなわち、本発明は、ある所定の機能を提供する装置及びその所定の機能を提供する為の管理サーバを含むシステムと、その他の所定の機能を提供する装置及びその他の所定の機能を提供する為の管理サーバを含むシステムとが、少なくとも１台以上の交換機を経由して認証連携サーバとコンピュータ・ネットワークで接続されており、各システムの装置は同時に使用される性質のものであるネットワークシステムにおける認証連携システムであって、認証連携サーバは、認証連携の事前準備として交換機からの接続状態変更通知を契機として、交換機及び各システムの管理サーバから各装置の接続情報等を要求し、収集する手段と、収集した情報を基に対応するある所定の機能を提供する装置の物理接続情報とその他の所定の機能を提供する装置の物理接続情報を該連携サーバの記憶域に対応付けて記憶する手段と、  ある所定の機能を提供するシステムにおけるユーザ識別情報とその他の所定の機能を提供するシステムにおけるユーザ識別情報を該連携サーバの記憶域に対応付けて記憶する手段と、ユーザがある所定の機能を提供する装置に認証デバイスを利用してログイン／ログオフ後、ある所定の機能を提供する為の管理サーバからログイン／ログオフした装置の物理接続情報とログイン／ログオフしたユーザのユーザ識別情報を受信する手段と、受信した物理接続情報を基に、ある所定の機能を提供する装置に対応する、その他の所定の機能を提供する装置を該認証連携サーバの記憶域を参照して決定する手段と、受信したユーザ識別情報を基に、ある所定の機能を提供するシステムにおけるユーザ識別情報に対応するその他の所定の機能を提供するシステムにおけるユーザ識別情報を該認証連携サーバの記憶域を参照して決定する手段と、決定したその他の所定の機能を提供する装置に関する物理接続情報及び上記ユーザ識別情報をその他の所定の機能を提供するシステムの管理サーバに送信する手段とを備え、その他の所定の機能を提供するシステムの管理サーバは、上記の物理接続情報及びユーザ識別情報を受信する手段と、受信した物理接続情報を有する装置に受信したユーザ識別情報に対応するログイン設定ファイル／ログオフ設定ファイルを送信する手段とを備え、その他の所定の機能を提供する装置は、上記管理サーバから送信されたユーザ識別情報に対応するログイン設定ファイル／ログオフ設定ファイルを受信し、読み込む手段を備えることにより、ある所定の機能を提供する装置と一対となるその他の所定の機能を提供する装置に対して同時に認証手続を行うことを特徴とする認証連携システム（請求項１）である。
【手続補正３】
【補正対象書類名】明細書
【補正対象項目名】００１８
【補正方法】変更
【補正の内容】
【００１８】
この認証連携システムの一実施形態によれば、認証連携サーバは、その他の所定の機能を提供するシステムの管理サーバから、その他の所定の機能を提供する装置のログイン／ログオフが正常に終了した信号を受信することにより、その他の所定の機能を提供する装置に対して認証手続成功可否画面を送信する手段を備える（請求項２）。
【手続補正４】
【補正対象書類名】明細書
【補正対象項目名】００１９
【補正方法】変更
【補正の内容】
【００１９】
この認証連携システムの他の実施形態によれば、認証連携サーバから収集される交換機の有している接続情報には、該交換機の有しているインタフェース情報が含まれており、認証連携サーバは該インタフェース情報が同一であることをもって、ある所定の機能を提供する装置とその他の所定の機能を提供する装置を、対応する装置であると判断する手段を備える（請求項３）。
【手続補正５】
【補正対象書類名】明細書
【補正対象項目名】００２０
【補正方法】変更
【補正の内容】
【００２０】
本発明による認証連携システムは、より具体的には、１台以上のシンクライアント端末及びシンクライアント端末管理サーバを含むシンクライアント端末管理システムと、１台以上のIP電話機及びIP電話機管理サーバを含むIP電話システムとが、少なくとも１台以上の交換機を経由して認証連携サーバとコンピュータ・ネットワークで接続されており、各システムの装置は同時に使用される性質のものであるネットワークシステムにおける認証連携システムであって、認証連携サーバは、認証連携の事前準備として交換機からの接続状態変更通知を契機として、交換機及び各システムの管理サーバから各装置の接続情報等を要求し、収集する手段と、収集した情報を基に対応するシンクライアント端末の物理接続情報とIP電話機の物理接続情報を該連携サーバの記憶域に対応付けて記憶する手段と、シンクライアント端末管理システムにおけるユーザ識別情報とIP電話システムのユーザ識別情報を該連携サーバの記憶域に対応付けて記憶する手段と、ユーザがある所定の機能を提供する装置に認証デバイスを利用してログイン／ログオフ後、シンクライアント端末の管理サーバからログイン／ログオフした装置の物理接続情報とログイン／ログオフしたユーザのユーザ識別情報を受信する手段と、受信した物理接続情報を基に、シンクライアント端末に対応する、IP電話機を該認証連携サーバの記憶域を参照して決定する手段と、受信したユーザ識別情報を基に、シンクライアント端末管理システムにおけるユーザ識別情報に対応するIP電話システムにおけるユーザ識別情報を該認証連携サーバの記憶域を参照して決定する手段と、決定したIP電話機に関する物理接続情報及び上記ユーザ識別情報をIP電話機管理サーバに送信する手段とを備え、IP電話機管理サーバは、上記の物理接続情報及びユーザ識別情報を受信する手段と、 受信した物理接続情報を有するIP電話機に受信したユーザ識別情報に対応するログイン設定ファイル／ログオフ設定ファイルを送信する手段とを備え、IP電話機は、 上記IP電話機管理サーバから送信されたユーザ識別情報に対応するログイン設定ファイル／ログオフ設定ファイルを受信し、読み込む手段を備えることにより、  シンクライアント端末と一対となるIP電話機に対して同時に認証手続を行うことを特徴とする認証連携システム（請求項４）として構築され得る。
【手続補正６】
【補正対象書類名】明細書
【補正対象項目名】００２１
【補正方法】変更
【補正の内容】
【００２１】
この認証連携システムの一実施形態によれば、認証連携サーバは、IP電話機管理サーバから、IP電話機のログイン／ログオフが正常に終了した信号を受信することにより、IP電話機に対して認証手続成功可否画面を送信する手段を備える（請求項５）。
【手続補正７】
【補正対象書類名】明細書
【補正対象項目名】００２２
【補正方法】変更
【補正の内容】
【００２２】
この認証連携システムの他の実施形態によれば、認証連携サーバから収集される交換機の有している接続情報には、該交換機の有しているインタフェース情報が含まれており、認証連携サーバは該インタフェース情報が同一であることをもって、シンクライアント端末とIP電話機を対応する装置であると判断する手段を備える（請求項６）。
【手続補正８】
【補正対象書類名】明細書
【補正対象項目名】００２３
【補正方法】変更
【補正の内容】
【００２３】
また、本発明方法は、ある所定の機能を提供する装置及びその所定の機能を提供する為の管理サーバを含むシステムと、その他の所定の機能を提供する装置及びその他の所定の機能を提供する為の管理サーバを含むシステムとが、少なくとも１台以上の交換機を経由して認証連携サーバとコンピュータ・ネットワークで接続されており、各システムの装置は同時に使用される性質のものであるネットワークシステムにおける認証連携方法であって、認証連携サーバは、認証連携の事前準備として交換機からの接続状態変更通知を契機として、交換機及び各システムの管理サーバから各装置の接続情報等を要求し、収集するステップと、収集した情報を基に対応するある所定の機能を提供する装置の物理接続情報とその他の所定の機能を提供する装置の物理接続情報を該連携サーバの記憶域に対応付けて記憶するステップと、ある所定の機能を提供するシステムにおけるユーザ識別情報とその他の所定の機能を提供するシステムにおけるユーザ識別情報を該連携サーバの記憶域に対応付けて記憶するステップと、ユーザがある所定の機能を提供する装置に認証デバイスを利用してログイン／ログオフ後、ある所定の機能を提供する為の管理サーバからログイン／ログオフした装置の物理接続情報とログイン／ログオフしたユーザのユーザ識別情報を受信するステップと、受信した物理接続情報を基に、ある所定の機能を提供する装置に対応する、その他の所定の機能を提供する装置を該認証連携サーバの記憶域を参照して決定するステップと、受信したユーザ識別情報を基に、ある所定の機能を提供するシステムにおけるユーザ識別情報に対応するその他の所定の機能を提供するシステムにおけるユーザ識別情報を該認証連携サーバの記憶域を参照して決定するステップと、決定したその他の所定の機能を提供する装置に関する物理接続情報及び上記ユーザ識別情報をその他の所定の機能を提供するシステムの管理サーバに送信するステップとを実行し、その他の所定の機能を提供するシステムの管理サーバは、上記の物理接続情報及びユーザ識別情報を受信するステップと、受信した物理接続情報を有する装置に受信したユーザ識別情報に対応するログイン設定ファイル／ログオフ設定ファイルを送信するステップとを実行し、その他の所定の機能を提供する装置は、上記管理サーバから送信されたユーザ識別情報に対応するログイン設定ファイル／ログオフ設定ファイルを受信し、読み込むステップを実行することにより、ある所定の機能を提供する装置と一対になるその他の所定の機能を提供する装置に対して同時に認証手続を行うことを特徴とする認証連携方法（請求項７）として定義される。
【手続補正９】
【補正対象書類名】明細書
【補正対象項目名】００２４
【補正方法】変更
【補正の内容】
【００２４】
この認証連携方法の一実施形態によれば、認証連携サーバは、その他の所定の機能を提供するシステムの管理サーバから、その他の所定の機能を提供する装置のログイン／ログオフが正常に終了した信号を受信することにより、その他の所定の機能を提供する装置に対して認証手続成功可否画面を送信するステップを実行する（請求項８）。
【手続補正１０】
【補正対象書類名】明細書
【補正対象項目名】００２５
【補正方法】変更
【補正の内容】
【００２５】
この認証連携方法の他の実施形態によれば、認証連携サーバから収集される交換機の有している接続情報には、該交換機の有しているインタフェース情報が含まれており、認証連携サーバは該インタフェース情報が同一であることをもって、ある所定の機能を提供する装置とその他の所定の機能を提供する装置を、対応する装置であると判断するステップを実行する（請求項９）。
【手続補正１１】
【補正対象書類名】明細書
【補正対象項目名】００２６
【補正方法】変更
【補正の内容】
【００２６】
本発明による認証連携方法は、より具体的には、１台以上のシンクライアント端末及びシンクライアント端末管理サーバを含むシンクライアント端末管理システムと、１台以上のIP電話機及びIP電話機管理サーバを含むIP電話システムとが、少なくとも１台以上の交換機を経由して認証連携サーバとコンピュータ・ネットワークで接続されており、各システムの装置は同時に使用される性質のものであるネットワークシステムにおける認証連携方法であって、認証連携サーバは、認証連携の事前準備として交換機からの接続状態変更通知を契機として、交換機及び各システムの管理サーバから各装置の接続情報等を要求し、収集するステップと、収集した情報を基に対応するシンクライアント端末の物理接続情報とIP電話機の物理接続情報を該連携サーバの記憶域に対応付けて記憶するステップと、シンクライアント端末管理システムにおけるユーザ識別情報とIP電話システムにおけるユーザ識別情報を該連携サーバの記憶域に対応付けて記憶するステップと、ユーザがある所定の機能を提供する装置に認証デバイスを利用してログイン／ログオフ後、シンクライアント端末の管理サーバからログイン／ログオフした装置の物理接続情報とログイン／ログオフしたユーザのユーザ識別情報を受信するステップと、受信した物理接続情報を基に、シンクライアント端末に対応する、IP電話機を該認証連携サーバの記憶域を参照して決定するステップと、受信したユーザ識別情報を基に、シンクライアント端末管理システムにおけるユーザ識別情報に対応するIP電話システムにおけるユーザ識別情報を該認証連携サーバの記憶域を参照して決定するステップと、決定したIP電話機に関する物理接続情報及び上記ユーザ識別情報をIP電話機管理サーバに送信するステップとを実行し、IP電話機管理サーバは、上記の物理接続情報及びユーザ識別情報を受信するステップと、受信した物理接続情報を有するIP電話機に受信したユーザ識別情報に対応するログイン設定ファイル／ログオフ設定ファイルを送信するステップとを実行し、IP電話機は、上記IP電話機管理サーバから送信されたユーザ識別情報に対応するログイン設定ファイル／ログオフ設定ファイルを受信し、読み込むステップを実行することにより、シンクライアント端末と一対になるIP電話機に対して同時に認証手続を行うことを特徴とする認証連携方法（請求項１０）として構築され得る。
【手続補正１２】
【補正対象書類名】明細書
【補正対象項目名】００２７
【補正方法】変更
【補正の内容】
【００２７】
この認証連携システムの一実施形態によれば、認証連携サーバは、IP電話機管理サーバから、IP電話機のログイン／ログオフが正常に終了した信号を受信することにより、IP電話機に対して認証手続成功可否画面を送信するステップを実行する（請求項１１）。
【手続補正１３】
【補正対象書類名】明細書
【補正対象項目名】００２８
【補正方法】変更
【補正の内容】
【００２８】
この認証連携方法の他の実施形態によれば、認証連携サーバから収集される交換機の有している接続情報には、該交換機の有しているインタフェース情報が含まれており、認証連携サーバは該インタフェース情報が同一であることをもって、シンクライアント端末とIP電話機を対応する装置であると判断するステップを実行する（請求項１２）。
【手続補正１４】
【補正対象書類名】明細書
【補正対象項目名】００２９
【補正方法】変更
【補正の内容】
【００２９】
また、本発明プログラムは、ある所定の機能を提供する装置及びその所定の機能を提供する為の管理サーバを含むシステムと、その他の所定の機能を提供する装置及びその他の所定の機能を提供する為の管理サーバを含むシステムとが、少なくとも１台以上の交換機を経由して認証連携サーバとコンピュータ・ネットワークで接続されており、各システムの装置は同時に使用される性質のものであるネットワークシステムにおける認証連携方法を実行するプログラムであって、認証連携サーバに、認証連携の事前準備として交換機からの接続状態変更通知を契機として、交換機及び各システムの管理サーバから各装置の接続情報等を要求し、収集するステップと、収集した情報を基に対応するある所定の機能を提供する装置の物理接続情報とその他の所定の機能を提供する装置の物理接続情報を該連携サーバの記憶域に対応付けて記憶するステップと、ある所定の機能を提供するシステムにおけるユーザ識別情報とその他の所定の機能を提供するシステムにおけるユーザ識別情報を該連携サーバの記憶域に対応付けて記憶するステップと、ユーザがある所定の機能を提供する装置に認証デバイスを利用してログイン／ログオフ後、ある所定の機能を提供する為の管理サーバからログイン／ログオフした装置の物理接続情報とログイン／ログオフしたユーザのユーザ識別情報を受信するステップと、受信した物理接続情報を基に、ある所定の機能を提供する装置に対応する、その他の所定の機能を提供する装置を該認証連携サーバの記憶域を参照して決定するステップと、受信したユーザ識別情報を基に、ある所定の機能を提供するシステムにおけるユーザ識別情報に対応するその他の所定の機能を提供するシステムにおけるユーザ識別情報を該認証連携サーバの記憶域を参照して決定するステップと、決定したその他の所定の機能を提供する装置に関する物理接続情報及び上記ユーザ識別情報をその他の所定の機能を提供するシステムの管理サーバに送信するステップとを実行させ、その他の所定の機能を提供するシステムの管理サーバに、上記の物理接続情報及びユーザ識別情報を受信するステップと、受信した物理接続情報を有する装置に受信したユーザ識別情報に対応するログイン設定ファイル／ログオフ設定ファイルを送信するステップとを実行させ、その他の所定の機能を提供する装置に、上記管理サーバから送信されたユーザ識別情報に対応するログイン設定ファイル／ログオフ設定ファイルを受信し、読み込むステップを実行させることにより、ある所定の機能を提供する装置と一対になるその他の所定の機能を提供する装置に対して同時に認証手続を行うことを特徴とする認証連携プログラム（請求項１３）として定義される。
【手続補正１５】
【補正対象書類名】明細書
【補正対象項目名】００３０
【補正方法】変更
【補正の内容】
【００３０】
この認証連携プログラムの一実施形態によれば、認証連携サーバに、その他の所定の機能を提供するシステムの管理サーバから、その他の所定の機能を提供する装置のログイン／ログオフが正常に終了した信号を受信することにより、その他の所定の機能を提供する装置に対して認証手続成功可否画面を送信するステップを実行させる（請求項１４）。
【手続補正１６】
【補正対象書類名】明細書
【補正対象項目名】００３１
【補正方法】変更
【補正の内容】
【００３１】
この認証連携プログラムの他の実施形態によれば、認証連携サーバから収集される交換機の有している接続情報には、該交換機の有しているインタフェース情報が含まれており、認証連携サーバに、該インタフェース情報が同一であることをもって、ある所定の機能を提供する装置とその他の所定の機能を提供する装置を、対応する装置であると判断するステップを実行させる（請求項１５）。
【手続補正１７】
【補正対象書類名】明細書
【補正対象項目名】００３２
【補正方法】変更
【補正の内容】
【００３２】
本発明による認証連携プログラムは、より具体的には、１台以上のシンクライアント端末及びシンクライアント端末管理サーバを含むシンクライアント端末管理システムと、１台以上のIP電話機及びIP電話機管理サーバを含むIP電話システムとが、少なくとも１台以上の交換機を経由して認証連携サーバとコンピュータ・ネットワークで接続されており、各システムの装置は同時に使用される性質のものであるネットワークシステムにおける認証連携プログラムとして構築される。この認証連携プログラムは、認証連携サーバに、認証連携の事前準備として交換機からの接続状態変更通知を契機として、交換機及び各システムの管理サーバから各装置の接続情報等を要求し、収集するステップと、収集した情報を基に対応するシンクライアント端末の物理接続情報とIP電話機の物理接続情報を該連携サーバの記憶域に対応付けて記憶するステップと、シンクライアント端末管理システムにおけるユーザ識別情報とIP電話システムにおけるユーザ識別情報を該連携サーバの記憶域に対応付けて記憶するステップと、ユーザがある所定の機能を提供する装置に認証デバイスを利用してログイン／ログオフ後、シンクライアント端末の管理サーバからログイン／ログオフした装置の物理接続情報とログイン／ログオフしたユーザのユーザ識別情報を受信するステップと、受信した物理接続情報を基に、シンクライアント端末に対応する、IP電話機を該認証連携サーバの記憶域を参照して決定するステップと、受信したユーザ識別情報を基に、シンクライアント端末管理システムにおけるユーザ識別情報に対応するIP電話システムにおけるユーザ識別情報を該認証連携サーバの記憶域を参照して決定するステップと、決定したIP電話機に関する物理接続情報及びユーザ識別情報をIP電話機管理サーバに送信するステップと、を実行させ、IP電話機管理サーバに、上記の物理接続情報及びユーザ識別情報を受信するステップと、受信した物理接続情報を有するIP電話機に受信したユーザ識別情報に対応するログイン設定ファイル／ログオフ設定ファイルを送信するステップとを実行させ、IP電話機に、上記IP電話機管理サーバから送信されたユーザ識別情報に対応するログイン設定ファイル／ログオフ設定ファイルを受信し、読み込むステップを実行させることにより、シンクライアント端末と一対になるIP電話機に対して同時に認証手続を行う（請求項１６）。
【手続補正１８】
【補正対象書類名】明細書
【補正対象項目名】００３３
【補正方法】変更
【補正の内容】
【００３３】
この認証連携プログラムの一実施形態によれば、認証連携サーバに、IP電話機管理サーバから、IP電話機のログイン／ログオフが正常に終了した信号を受信することにより、IP電話機に対して認証手続成功可否画面を送信するステップを実行させる（請求項１７）。
【手続補正１９】
【補正対象書類名】明細書
【補正対象項目名】００３４
【補正方法】変更
【補正の内容】
【００３４】
この認証連携プログラムの他の実施形態によれば、認証連携サーバから収集される交換機の有している接続情報には、該交換機の有しているインタフェース情報が含まれており、認証連携サーバに、該インタフェース情報が同一であることをもって、シンクライアント端末とIP電話機を対応する装置であると判断するステップを実行させる（請求項１８）。
【手続補正２０】
【補正対象書類名】図面
【補正対象項目名】図１
【補正方法】変更
【補正の内容】
【図１】
2007206851.tif 000001
【手続補正２１】
【補正対象書類名】図面
【補正対象項目名】図９
【補正方法】変更
【補正の内容】
【図９】
2007206851.tif 000002
【手続補正２２】
【補正対象書類名】図面
【補正対象項目名】図１０
【補正方法】変更
【補正の内容】
【図１０】
2007206851.tif 000003
【手続補正２３】
【補正対象書類名】図面
【補正対象項目名】図１１
【補正方法】変更
【補正の内容】
【図１１】
2007206851.tif 000004